(57)【要約】【課題】本考案は、環境に優しい皮膚洗浄タオルの構造を提供する。【解決手段】  タオル組織構造である、環境に優しい皮膚洗浄タオル構造は、材料が綿糸である地組織、および地組織の上層に形成されるループ組織であり、マイクロファイバー糸を材料とするパイル組織を含む。地組織は綿糸であり、摩擦力が優れた特性を有し、パイル組織は極細繊維の浸透特性を有するマイクロファイバー糸であり、皮膚の毛細孔に入り込み汚れを取り除くことができる機能を有する。この構造の特徴により、洗浄剤を使用する必要はなく、直接環境に優しい皮膚洗浄タオルを水にぬらし、皮膚を洗浄することができる。【選択図】図１
0003181262.tif 000002
【実用新案登録請求の範囲】
【請求項１】
タオル組織構造である、環境に優しい皮膚洗浄タオルの構造であって、主に綿糸で織成される組織である地組織、および地組織に交織して形成されるループ組織であり、マイクロファイバー糸を織って材料とするパイル組織を含み、当該パイル組織のループの密度が、地組織の面積の６０％〜６５％に相対するのが最も好ましい、環境に優しい皮膚洗浄タオルの構造。
【請求項２】
当該パイル組織が、地組織の表層の片面または両面に形成され、毛経糸および緯糸を交織して盛り上がったループが形成され、パイル組織の基礎である底部の経緯糸が地組織の上表層の経緯糸に交織される、請求項１に記載の環境に優しい皮膚洗浄タオルの構造。
【請求項３】
当該パイル組織のループの高さは、０．３ｍｍ〜０．６ｍｍが最も好ましい、請求項１に記載の環境に優しい皮膚洗浄タオルの構造
【考案の詳細な説明】
【技術分野】
【０００１】
本考案は、環境に優しい皮膚洗浄タオルの構造に関し、特に皮膚の毛穴組織に入り込むことができ、深層を洗浄する機能を有する環境に優しい皮膚洗浄タオルの構造に関する。
【背景技術】
【０００２】
市場のタオルの構造は、地組織およびパイル組織を交織して構成されるタオル構造である。このパイル組織で使用される織糸の材料は、全てが綿糸または全てが合成繊維糸であるか、２種もしくは２種以上の糸を混合した糸で織られる。例えば全てが綿糸である組織は、綿繊維が強い吸水性および水収縮性を有するため、水分を吸収すると、綿繊維は膨張し、綿糸は縮んで変形する。さらに、綿繊維は比較的太く、皮膚の毛細孔に入り込み、垢を取り除くことができない。全てがウルトラファインマイクロファイバーまたは合成繊維糸で作られると、ウルトラファインマイクロファイバーまたはマイクロファイバー糸自体が過度に柔らかく、細く、滑らかである特性要素のため、吸水すると滑らかで柔らかすぎ、逆に皮膚の表層の垢を取り除くことができない。実験によれば、垢はもとの場所で押し出されたり入ったりし、洗浄効果が好ましくないことが示された。混合糸は異なる繊維を混合させるため、逆に各繊維の特性を発揮することができない。
【考案の概要】
【考案が解決しようとする課題】
【０００３】
本考案の主な目的は、いかなる洗浄剤を使用する必要も無く、タオルに適量の水分を吸収させ、湿度を保持した状態で皮膚をふくだけで、水分子により皮膚の老化した角質層および垢を軟化させることができ、さらにパイル組織および地組織が異なる繊維特性で構成される構造を提供し、皮膚を洗浄する効果を達成することである。
【０００４】
この点を踏まえて、本考案人は、上記欠点に対し改良を行って新しいものを作り出し、新機軸および変化を求めて研鑽を重ね、完全な構想の下、多数の試作および実験を通して、ついに本考案を完成し、本実用新案の出願を行う。
【０００５】
本考案の環境に優しい皮膚洗浄タオルの構造は、地組織およびパイル組織を含み、地組織は綿糸繊維材料で織成される経緯組織であり、パイル組織は極細繊維で織成されるループ組織であることを特徴とする。
【課題を解決するための手段】
【０００６】
パイル組織の極細繊維の特性により、繊維を皮膚の毛細孔に入り込ませ、汚れおよび角質層を取り除き、毛穴内につまった垢または油脂を取り出す。さらに地組織の綿糸の油吸収および摩擦の特性により、皮膚表面を摩擦し、極細繊維で取り出した汚れを地組織の綿繊維で取り除き、さらに皮膚の分泌過多の油分を吸着し、汚れが皮膚表面で繰り返し移動することがないようにする。洗いやすく、皮膚の微細表面に効果的に入り込み、洗浄することができる高い洗浄力を有し、さらに皮膚を傷つけない環境に優しい皮膚洗浄タオルの構造を達成する。
【０００７】
綿糸で織成される地組織により、摩擦および油吸収の機能を有し、皮膚表層の角質を除去し、多すぎる油分を吸着する機能が提供される。マイクロファイバー糸を交織して形成されるループにより、皮膚の毛穴に入り込むことができる特徴を有し、毛穴に詰まった垢、角質、老廃物が徹底的に取り除かれる。
【図面の簡単な説明】
【０００８】
【図１】本考案の構造の組合せ概要図である。
【図２】本考案を実施した立体概要図である。
【考案を実施するための形態】
【０００９】
本考案を十分に理解するため、以下に好ましい実例を挙げ、添付の図面を組み合わせて詳細に説明する。ここでは、さらに本考案の好ましい実施例の図式を組み合わせ、以下のようにさらなる説明を行い、当業者が本明細書の記載に基づき実施することができるようにする。さらに、これは本考案の技術範囲を限定するものではない。
【実施例】
【００１０】
まず、図１から図２を併せて参照されたい。図１から図２は、本考案の環境に優しい皮膚洗浄タオルの構造であり、地組織１０およびパイル組織２０からなることを含む。
【００１１】
当該地組織１０は綿糸を主要材料としており、経緯織りで交織され、下地が形成される。
【００１２】
当該パイル組織２０は地組織１０の表層の片面に形成されるか、または地組織１０の表層に両面パイル組織２０が形成される。毛経糸２１および緯糸２２を交織し、盛り上がったループ２３が形成される。さらにパイル組織２０の基礎である底部の経緯糸２１、２２は、地組織１０の上表層の経緯糸１１、１２に交織される。このうち、当該形成されたループ２３の毛経糸２１は、吸水力が高いマイクロファイバー糸であり、当該マイクロファイバー糸は人工ポリエステル繊維（Ｐｏｌｙｅｓｔｅｒ  Ｆｉｂｅｒ）を指し、滑らかな表面を有し、吸水力は普通の綿糸の７倍以上である。当該マイクロファイバー糸の繊維サイズは１ミクロン（μｍ）であり、その径は毛細孔の径より小さい。普通の毛穴は、最も細い皮膚の毛穴径でおよそ２０〜５０ミクロン（μｍ）であり、最大の毛穴径はおよそ１００〜２００ミクロン（μｍ）である。したがって、マイクロファイバー糸は皮膚の毛細孔に入り込むことができる。
【００１３】
上記構造の交織により形成される環境に優しい皮膚洗浄タオルの構造について、綿糸で織成される地組織１０は有機物の糸であるため、繊維表面に毛細孔を有し、組織のきめが比較的粗く、摩擦および油吸収が可能な機能を有することができる。マイクロファイバー糸を交織して形成されるループ２３は無機物の糸であり、その極細のらせん繊維および表面が滑らかである特性により、皮膚の毛穴に入り込み、毛穴内の汚れを掻き出すが、滑らかな表面組織により、皮膚を傷つけることはない。いかなる洗浄料も使用しない状況において、マイクロファイバー糸が毛穴の垢を徹底的に取り出し、さらに地組織の綿糸材質により、皮膚表面を摩擦して垢を取り除くことができると同時に、皮膚表面の角質層を摩擦して角質を除去する機能を有する。
【００１４】
本考案の環境に優しい皮膚洗浄タオルの構造における、地組織１０上のパイル組織２０について、そのループ２３の密度は、地組織１０の面積の６０％〜６５％に相対すると、洗浄効果が最も好ましい。ループ２３が過密すぎると地組織１０が皮膚を摩擦することができなくなり、ループ２３が少なすぎると地組織１０の摩擦係数が高くなりすぎ、マイクロファイバー糸による全面的で効果的な毛穴の汚れの除去を行うことができなくなる。
【００１５】
ほかに、当該パイル組織２０のループ２３の高さは、０．３ｍｍ〜０．６ｍｍの高度が最も好ましく、洗浄効果が最も優れている。ループ２３の高さが高すぎると、組織が柔らかすぎて弾性が無くなり、ループ２３の高さが低すぎると、その組織が硬すぎて柔軟性が不十分となり、パイル組織２０が地組織１０を遮り、地組織１０が皮膚表面に触れることができなくなる。
【００１６】
以上をまとめると、本考案の好ましい実施例に過ぎず、本考案の実施範囲を制限するものではない。すなわち、本考案の実用新案登録請求の範囲に基づいて行われる均等な変化および修飾は、すべて本考案の特許範囲に包含される。
【符号の説明】
【００１７】
１０  地組織
１１  地経糸
１２  緯糸
２０  パイル組織
２１  毛経糸
２２  緯糸
２３  ループ
【図１】
0003181262.tif 000003
【図２】
0003181262.tif 000004